(57)【特許請求の範囲】
【請求項１】
立体状に積み重ねた荷物（２）の周囲を包囲する帯び状の巻きシート（４）を設け、前記荷物（２）の１つの角部上面に対面する直角三角形状の角部係止具（５）を設けるとともに、該角部係止具（５）の直角辺部を前記巻きシート（４）の一方の端部の上縁部に固着し、前記巻きシート（４）の上縁部であってかつ前記荷物（２）の他の角部に略対応する各角部対応上縁部（ア、イ、ウ）に荷物（２）の角部の上面を対角状に横断する角部掛け具（６）を連結し、前記巻きシート（４）の両端を連結する連結具（７）を設けたことを特徴とする荷崩れ防止シート。
【請求項２】
巻きシート（４）はその一部を透視部材（４ｃ）により形成したことを特徴する請求項１記載の荷崩れ防止シート。
【請求項３】
巻きシート（１４）の両端部に板状の芯材（２４）を設けたことを特徴する請求項１又は２記載の荷崩れ防止シート。
【請求項４】
角部係止具（５）は非伸縮性のシート材により形成したことを特徴とする請求項１，２又は３記載の荷崩れ防止シート。
【請求項５】
角部掛け具（６）は伸縮可能な弾性資材により形成したことを特徴とする請求項１〜４いずれか１項に記載の荷崩れ防止シート。
【請求項６】
連結具（７）は巻きシート（４）の一端側に緊張ベルト（７ａ）を連結し、巻きシート（４）の他端側に前記緊張ベルト（７ａ）が係脱可能に係止する止め具（７ｃ）を設け、前記緊張ベルト（７ａ）に互いに係脱可能に係止する面ファスナー（７ｄ）を設けたことを特徴とする請求項１〜５いずれか１項に記載の荷崩れ防止シート。
【請求項７】
巻きシート（１４）の複数箇所に荷物（１１）が載置されるパレット（１０）と着脱可能に係止するパレット係止具（２１）を設けたことを特徴とする請求項１〜６いずれか１項に記載の荷崩れ防止シート。
【請求項８】
パレット係止具（２５）は、荷物（１１）の所定の面と対面する巻きシート（１４）の側面（１４ｃ−１，１４ｃ−２）の一側部に係止ベルト（２５ａ）を、他側部に該係止ベルト（２５ａ）が係脱可能に係止する止め具（２５ｃ）をそれぞれ設け、前記係止ベルト（２５ａ）の長手方向中間部をパレット（１０）の端部中心部に係脱可能に係止する掛け具（２６）を設けたことを特徴とする請求項７記載の荷崩れ防止シート。
【発明の詳細な説明】
【０００１】
【発明の属する技術分野】
本発明は、パレットに立方体又は直方体状に載置した荷物が崩れるのを防止する荷崩れ防止シートに関するものである。
【０００２】
【従来の技術】
従来の荷崩れ防止シートとして、立体状に積み重ねた荷物の周囲を包囲する帯び状の巻きシートを設け、該巻きシートの両端部に互いに係脱可能の面ファスナーを取付けてなるものがあった。
【０００３】
【発明が解決しようとする課題】
上記従来のものは、巻きシートが単純な帯状であったため、これを一人で荷物の周囲に巻き付けることができず、一人の作業者が巻きシートの一端部を荷物の所定箇所に位置決めし、もう一人の作業者が上記巻きシートの他端部を持って荷物の周囲を移動して上記巻きシートを荷物の周囲に巻き付けるようにしていた。このため従来のものは作業員が増大する不具合がであった。本発明は一人の作業者が容易に巻き付けできる新規な荷崩れ防止シートを得ることを目的とする。
【０００４】
【課題を解決するための手段】
本発明は、上記目的を達成するために以下の如く構成したものである。即ち、請求項１に係る発明は、立体状に積み重ねた荷物の周囲を包囲する帯び状の巻きシートを設け、前記荷物の１つの角部上面に対面する直角三角形状の角部係止具を設けるとともに、該角部係止具の直角辺部を前記巻きシートの一方の端部の上縁部に固着し、前記巻きシートの上縁部であってかつ前記荷物の他の角部に略対応する各角部対応上縁部に荷物の角部の上面を対角状に横断する角部掛け具を連結し、前記巻きシートの両端を連結する連結具を設けたものである。
請求項２に係る発明は、巻きシートはその一部を透視部材により形成したものである。
請求項３に係る発明は、巻きシートの両端部に板状の芯材を設けたものである。
請求項４に係る発明は、角部係止具は非伸縮性のシート材により形成したものである。
請求項５に係る発明は、角部掛け具は伸縮可能な弾性資材により形成したものである。
請求項６に係る発明は、連結具は巻きシートの一端側に緊張ベルトを連結し、巻きシートの他端側に前記緊張ベルトが係脱可能に係止する止め具を設け、前記緊張ベルトに互いに係脱可能に係止する面ファスナーを設けたものである。
請求項７に係る発明は、巻きシートの複数箇所に荷物が載置されるパレットと着脱可能に係止するパレット係止具を設けたものである。
請求項８に係る発明は、パレット係止具は、荷物の所定の面と対面する巻きシートの側面の一側部に係止ベルトを、他側部に該係止ベルトが係脱可能に係止する止め具をそれぞれ設け、前記係止ベルトの長手方向中間部をパレットの端部中心部に係脱可能に係止する掛け具を設けたものである。
【０００５】
【発明の実施の形態】
以下本発明の実施例を図面に基づいて説明する。図において、図１は本発明の第１実施例の使用状態を示す斜視図、図２は第１実施例による荷崩れ防止シートの斜視図、図３は本発明の第２実施例の使用状態を示す斜視図、図４は第２実施例のパレット係止具部の拡大斜視図、図５は第２実施例による荷崩れ防止シートの斜視図、図６は第２実施例の連結具部の拡大断面図、図７は本発明の第３実施例の使用状態を示す斜視図、図８は第３実施例による荷崩れ防止シートの斜視図、図９は第３実施例のパレット用掛け具部の一部断面拡大斜視図、図１０は第３実施例のパレット用掛け具部の他の例を示す拡大斜視図である。
【０００６】
図１において、１は正方形状のパレットであり、上板１ａの下面に脚１ｂを所定間隔で取付け、各脚１ｂ，１ｂ間にフォークリフトの爪（図示省略）が嵌合できるようになっている。２は上記パレット１の上面に立体状に積載した荷物、３は該荷物２の周囲を包囲する荷崩れ防止シートである。
【０００７】
上記荷崩れ防止シート３は、図２に示すように、左右方向に長い広幅な帯状の巻きシート４の上縁部に１個の角部係止具５、及び３個の角部掛け具６（６ａ，６ｂ，６ｃ）を所定の間隔をおいて取付け、上記巻きシート４の左右両端部に連結具７を取付けてなり、巻きシート４の上下幅は荷物２の高さに略対応する幅とし、また、左右の長さは荷物２の周長よりも若干長くする。
【０００８】
上記巻きシート４は、図２に示すように、布製の右部シート４ａと左部シート４ｂとを短尺のネットあるいは透明シート等の透視部材（４ｃ）により連結し、該透視部材４ｃ部で荷物２の種類、マーク等が確認できるようにする。上記角部係止具５は、左右シート４ａ，４ｂと同様の布材により直角三角形状に形成し、その直角辺部を上記右部シート４ａの端部の上縁部に逢着する。
【０００９】
また、上記各角部掛け具６（６ａ，６ｂ，６ｃ）は伸縮可能なテープ状の弾性資材により形成し、図２に示すように、各角部掛け具６を上記角部係止具５の取り付けた位置から荷物２の各角部に略対応する巻きシート４の各角部対応上縁部ア、イ、ウ部に、荷物２の角部の上面を対角状に横断する如く配置してその両端部を逢着する。なお、上記パレット１に積載する荷物２の大きさ（各辺の幅）が略一定となる場合には、上記角部掛け具６（６ａ，６ｂ，６ｃ）は布材により形成してもよく、あるいは弾性資材又は布材により角部係止具５と同様の直角三角形状としてもよい。
【００１０】
また、上記連結具７は以下の如くなっている。即ち、同図に示すように、左部シート４ｂの前部側の角部の上下３箇所に長尺な緊張ベルト７ａを逢着するとともに、該緊張ベルト７ａの正面側に互いに係合する面ファスナー７ｄを逢着する。また、右部シート４ａの端部の上下３箇所に短尺な止めベルト７ｂを逢着するとともに、該止めベルトの先端部に環状の止め具７ｃを取付ける。そして、上記緊張ベルト７ａを止め具７ｃに挿通してこれに緊張係止し、その折り返した先端部を緊張ベルト７ａの正面側中間部の面ファスナー７ｄに係合させることにより、上記緊張ベルト７ａの緩み止めを行う。
【００１１】
次に上記実施例の使用態様について説明する。まず、一人の作業者が角部係止具５を荷物２の、例えば前部側の右角部（第１角部）の上面に被せて右部シート４ａの端部上縁を該右角部に係止する。この状態で残余のシートを持って荷物２の周囲に沿って左回転方向に移動し、第１の角部掛け具６ａを後部側の右角部（第２角部）の上面に、第２の角部掛け具６ｂを後部側の左角部（第３角部）の上面に、第３の角部掛け具６ｃを前部側の左角部（第３角部）の上面に順次掛ける。
【００１２】
これにより、上記荷崩れ防止シート４は、上記角部係止具５、第１〜第３角部掛け具６ａ〜６ｃを介して上記荷物２の各角部に懸垂支持されることになる。この場合、第１〜第３角部掛け具６ａ〜６ｃの間隔（ピッチ）が荷物２の各角部の間隔と若干異なった際には、該第１〜第３角部掛け具６ａ〜６ｃの各角部上面を横断する角度が若干変化するのみで、該第１〜第３角部掛け具６ａ〜６ｃは支障なく各角部に係止し、上記荷崩れ防止シート４は円滑に懸垂支持されることになる。
【００１３】
次いで、左右シート４ａ，４ｂの前部側の辺を荷物２の前面側に沿わせ、その両端部を互いに重ね合わせ、この状態で各緊張ベルト７ａを止め具７ｃに挿通してこれを折り返して引張り、上記左右のシート４ａ，４ｂの端部を引き寄せて上記止め具７ｃに係止した後、図１に示すように、その折り返した先端部を面ファスナー７ｄを介して緊張ベルト７ａの中間部に係合させてこれの緩み止めを行うとともに、該先端部の垂れを防止する。
【００１４】
図１において、８はトップカバーであり、防水処理された布材により正方形状の天板部８ａの周囲に帯状のスカート部８ｂを逢着した浅いキャップ状に形成してなり、上記荷崩れ防止シート４により荷物２の周囲を包囲した後、その上部に被せ、屋外等に載置された荷物２を雨水から保護するものである。９は巻きシート４をパレット１側に止める止め具であり、両端部に雄又は雌の面ファスナー９ａを設けてなり、パレット１の下部に挿通し、その両端部を上方に曲げ、その面ファスナー９ａを巻きシート４の下部に設けた雌又は雄の面ファスナー（図示省略）に固着する。これにより風等により巻きシート４の下部がまくれるのを防止する。
【００１５】
図３〜図６は第２実施例を示す。図３〜図６において、１０はプラスチック製のパレットであり、正方形状の上下板１０ａ，１０ｂの四隅部及び中間部を角柱状の脚部１０ｃにより一体に連結し、各脚部１０ｃ間にフォークリフトの爪（図示省略）が嵌合できるようになっている。１１は上記パレット１０の上面に立体状に積載した荷物、１３は該荷物１１の周囲を包囲する荷崩れ防止シートである。
【００１６】
上記荷崩れ防止シート１３は、図３、図５に示すように、左右方向に長い広幅な帯状の巻きシート１４の上縁部に１個の角部係止具１５、及び３個の角部掛け具１６（１６ａ，１６ｂ，１６ｃ）を所定の間隔をおいて取付け、上記巻きシート１４の左右両端部に３組の連結具１７（１７−１，１７−２，１７−３）を上下に所定の間隔をおいてを取り付け、また、上記角部係止具１５及び各角部掛け具１６ａ，１６ｂ，１６ｃと対応する巻きシート１４の下縁部にパレット係止具２１（２１−１〜２１−４）を取り付けてなる。
【００１７】
上記巻きシート１４の上下幅は荷物１１の高さよりも若干大寸にしてその下部がパレット１０の上板１０ａ部まで達する上下幅とし、左右の長さは荷物１１の周長よりも若干長くする。この巻きシート１４は、連結具１７が取り付けられる正面側の左端部１４ａ及び右端部１４ｂを張力に富んだ織布製のシートにより形成し、残余の左右面及び背面をなす左右中間部１４ｃは繊維入りの透視製シートにより形成し、該左右中間部１４ｃで荷物１１の種類、マーク等が確認できるようにする。
【００１８】
上記角部係止具１５及び各角部掛け具１６ａ，１６ｂ，１６ｃは前述した第１実施例と略同様とする。即ち、角部係止具１５は織布製のシートにより直角三角形状に形成してその直角辺部を巻きシート１４の右端部１４ｂの上縁部に逢着する。また、各角部掛け具１６ａ，１６ｂ，１６ｃは伸縮可能なテープ状の弾性資材により形成し、図５に示すように、上記角部係止具１５の取り付けた位置を除く荷物１１の各角部と略対応する巻きシート１４の各角部対応上縁部ア、イ、ウ部に、荷物１１の角部の上面を対角状に横断する如く配置してその両端部を逢着する。
【００１９】
上記連結具１７は以下の如くなっている。即ち、図５、図６に示すように、巻きシート１４の左端部１４ａの上下端縁部と上下中間部の３箇所に長尺な緊張ベルト１８を逢着するとともに、該緊張ベルト１８の正面側に互いに係合する面ファスナー１８ａを逢着する。また、巻きシート１４の右端部１４ｂの上下端縁部と上下中間部の３箇所に短尺な止めベルト１９を逢着し、該止めベルトの先端部に止め具２０を取付ける。
【００２０】
上記止め具２０は、図６に示すように、正方形状の枠体の左右中間部に中間桟２０ａ−２を有する第１枠体２０ａの下面側に、該第１枠体２０ａの左右幅よりも小幅にした長方形状の第２枠体２０ｂを配置し、第１枠体２０ａ及び第２枠体２０ｂの各右端側の基部桟２０ａ−１、２０ｂ−１を上記止めベルト１９の左端部に形成したリング部１９ａに緩く挿通して連結する。上記中間桟２０ａ−２の右半部外周に軸方向に延びる係合突起２０ａ−４を形成し、また、上記第１枠体２０ａの左端部を下方に屈曲させて外方への突出量を低減させる。
【００２１】
そして、各緊張ベルト１８の先端部１８ｂを上記中間桟２０ａ−２に下面側から挿通し、この部を反転させて第２枠体２０ｂの前部桟２０−ｂ２の下面側を通過させ、この反転した先端部（左端部）１８ｂを引っ張って上記巻きシート１４の左右端部１４ａ，１４ｂを接近方向に寄せて巻きシート１４を緊張する。この場合、上記中間桟２０ａ−２に沿って反転した先端部１８ｂの反転部は該中間桟２０ａ−２の係合突起２０ａ−４と係合し、緩み方向に滑らなくなる。また、緊張した緊張ベルト１８を緩める際には、第１枠体２０ａの前部桟２０ａ−３を図６の仮想線で示すように引き上げることにより、中間桟２０ａ−２の係合突起２０ａ−４と緊張ベルト１８との係合を容易に解除することができる。
【００２２】
前述した角部係止具１５及び各角部掛け具１６ａ，１６ｂ，１６ｃと対応する巻きシート１４の下縁部にパレット係止具２１（２１−１〜２１−４）を取り付ける。このパレット係止具２１は、図４、図５に示すように、上記下縁部に小幅な当て布２１ａを逢着し、該当て布２１ａの外面に細長い係止ベルト２１ｂをその右端（又は左端）側から左端（又は右端）側に向けて逢着するとともに、該係止ベルト２１ｂの左端を当て布２１ａの左端から大きく左方に延長させ、該係止ベルト２１ｂの右端外面及び左端内面に互いに係脱可能の面ファスナー２１ｃ、２１ｃを逢着する。上記当て布２１ａの左右幅はパレット１０の脚１０ｃの外面側の二面に対応する幅とし、また、上記係止ベルト２１ｂの左右長さは上記脚１０ｃの周長（四面）よりも長くする。
【００２３】
また、前述した角部係止具１５及び各角部掛け具１６ａ，１６ｂ，１６ｃと対応する巻きシート１４の下縁部の内面に摩擦シート２２を逢着する。この摩擦シート２２は軟質性のゴム、あるいはプラスチックからなり、パレット１０の上板１０ａ及び荷物１１下部の四隅部に当接させてこれらに摩擦係合させるものである。図３において、８は第１実施例と同様のトップカバーであり、防水性のシートにより天板部８ａ及びスカート部８ｂを有する浅いキャップ状に形成され、上記荷崩れ防止シート１３により荷物１１の周囲を包囲した後、その上部に被せて該荷物１１を雨水から保護するものである。
【００２４】
上記第２実施例によれば、角部係止具１５、及び第１〜第３角部掛け具１６ａ〜１６ｃを荷物１１の各角部に係止して巻きシート１４により荷物１１の周囲を包囲した後、該シート１４の前部側、つまり左右端部１４ａ，１４ｂを互いに重ね合わせ、両者を各連結具１７（１７−１〜１７−３）により接近方向に引っ張って連結すると、巻きシート１４がパレット１０の上板１０ａ部及び荷物１１の周囲を包囲するとともに、その下部が最下部の連結具１７−３により締め付けられ、摩擦シート２２を介してパレット１０の上板１０ａ部に強固に摩擦係合することになる。
【００２５】
また、各パレット係止具２１（２１−１〜２１−４）をパレット１０の脚１０ｃに連結する。即ち、図４に示すように、当て布２１ａを上記脚１０ｃの外面側の二面に当て、係止ベルト２１ｂを上記脚１０ｃの周囲に沿って巻き付けてその両端を面ファスナー２１ｃを介して互いに連結すると、上記巻きシート１４の下部がパレット１０に連結され、上方に移動したり、捲くれたりしなくなるとともに、荷物１１がパレット１０上で移動するのを防止することができ。なお、パレット１０の上板１０ａの端部に孔、あるいは間隙がある場合には、上記係止ベルト２１ｂを該孔、あるいは間隙に挿通してパレット１０に連結するようにしてもよい。
【００２６】
図７〜図１０は第３実施例を示す。図７〜図９において、１０はプラスチック製のパレット、１１は荷物であり、これらは前述した第２実施例と同様となっている。１３−１は上記荷物１１の周囲を包囲する荷崩れ防止シートであり、左右に細長い巻きシート１４に前述した第２実施例と略同様の角部係止具１５、角部掛け具１６（１６ａ，１６ｂ，１６ｃ）、及び連結具１７が取り付けられている。
【００２７】
上記巻きシート１４の正面側の左端部１４ａ及び右端部１４ｂは、張力に富んだ織布製のシートにより二重に形成され、該左端部１４ａ及び右端部１４ｂ内にプラスチック板製あるいは合板製の芯材２４（２４ａ，２４ｂ，２４ｃ）が嵌合されるとともに、その周囲が巻きシート１４に逢着され、該芯材２４により上記左端部１４ａ及び右端部１４ｂを補強する。この場合、左端部１４ａには２枚の芯材２４ａ，２４ｂが左右に並列にかつ折り曲げ可能に嵌合されており、荷物１１の周長が長い場合、例えば周長が約１２００ｍｍとなる場合には、端部側の芯材２４ａに対応する巻きシート１４の左端部１４ａを右端部１４ｂに重ね合わせる。また、荷物１１の周長が短い場合、例えば周長が約１１００ｍｍとなる場合には、図８の仮想線で示すように、上記芯材２４ａが左部側の芯材２４ｂの内面側に位置する如く巻きシート１４の左端部１４ａを折り曲げ、左部側の芯材２４ｂに対応する巻きシート１４の左端部を上記右端部１４ｂに重ね合わせるようにする。
【００２８】
上記巻きシート１４の荷物１１の左右面と対面する左右側面１４ｃ−１，１４ｃ−２にそれぞれ同構造のパレット係止具２５を取り付ける。該パレット係止具２５は、上記左右側面１４ｃ−１，１４ｃ−２の下部側であってその前後方向一方端部に細長い係止ベルト２５ａを、その前後方向一方端部に止め具２５ｃを有する短尺な連結ベルト２５ｂをそれぞれ取り付け、上記係止ベルト２５ａに掛け具２６を摺動可能に取り付けてなる。なお、上記パレット係止具２５は荷物１１の正面及び背面と対面する巻きシート１４の正面側及び背面側に設けるようにしてもよい。
【００２９】
上記係止ベルト２５ａは巻きシート１４の左右側面１４ｃ−１，１４ｃ−２の前後方向の幅寸よりも若干長寸とする。また、上記止め具２５ｃは第２実施例の止め具２０と略同様の構造とし、該止め具２５ｃを介して上記係止ベルト２５ａの先端側を連結ベルト２５ｂ側に係脱可能に連結する。また、上記掛け具２６は針金材により形成されてなり、図９に示すように、側面視鉤型に屈曲した左右の鉤辺２６ａ，２６ａの背面側を上、中、下３個の横桟２６ｂ、２６ｃ，２６ｄで一体的に連結するとともに、各鉤辺２６ａ，２６ａの上端部を内方に屈曲させ、各鉤辺２６ａ，２６ａの先端部２６ｅ，２６ｅを尖鋭な円錐状にしてなる。
【００３０】
上記掛け具２６は、その上部側で係止ベルト２５ａの中間部に摺動可能に懸垂支持され、下部側の鉤部をパレット１０の上板１０ａの縁部に形成されたフランジ１０ａ−１に着脱可能に係合させ、これにより、図７に示すように、上記係止ベルト２５ａを側面視Ｖ型に屈曲させてパレット１０に係止し、巻きシート１４の左右側面１４ｃ−１，１４ｃ−２の両側（前後端）を引き寄せながらパレット１０側（下方）に緊張する。なお、パレット１０の上板１０ａの縁部にフランジ１０ａ−１が形成されていないもの、例えば図１に示すような木製のパレット１に上記掛け具２６を係合させる際には、尖鋭に形成された先端部２６ｅ，２６ｅを上記パレット１の上板１ａの下面に係合させる。その他は前述した第２実施例と略同様の構造となっている。
【００３１】
図１０はパレット係止具２５の他の係止状態を示す。このものは、パレット１０の縁部中心部に凹部１０ｄを形成し、該凹部１０ｄにピンからなる掛け具２６−１を渡架し、この掛け具２６−１に係止ベルト２５ａを側面視Ｖ型に屈曲させて係止したものである。
【００３２】
上記第３実施例によれば、巻きシート１４により第２実施例と同様の操作をして荷物１１の周囲を包囲し、該シート１４の前部側、つまり左右端部１４ａ，１４ｂを互いに重ね合わせて各連結具１７により接近方向に引っ張ると、互いに重ね合わせた巻きシート１４の左右端部１４ａ，１４ｂが芯材２４により補強されているため、該左右端部１４ａ，１４ｂが捩れることなく円滑に摺動して接近方向に摺動し、荷物１１の締付けが安定するとともに、強く締め付けることができる。また、巻きシート１４を芯材２４に巻き付けることができるので、巻きシート１４の荷物への巻き付け、及び折畳みが容易となる。
【００３３】
次いでパレット係止具２５の係止ベルト２５ａの長手方向中心部を掛け具２６（２６−１）を介してパレット１０の上板１０ａの縁部中心部に係止し、該係止ベルト２５ａの先端側を止め具２５ｃに挿通して引っ張ると、上記係止ベルト２５ａが側面視Ｖ型に屈曲し、巻きシート１４の左右側面１４ｃ−１，１４ｃ−２の両側（前後端）を引き寄せながら該巻きシート１４をパレット１０側（下方）に緊張する。これにより、上記巻きシート１４がパレット１０に強固に連結され、上方向にずれたり、下部が捲くれたりしなくなるとともに、荷物１１がパレット１０上で移動するのを防止することができる。なお、パレット１０の端部に孔、あるいは間隙がある場合には、上記係止ベルト２５ａを該孔、あるいは間隙に挿通してその中間部をパレット１０に連結するようにしてもよい。
【００３４】
【発明の効果】
以上の説明から明らかな如く、請求項１に係る発明は、立体状に積み重ねた荷物の周囲を包囲する帯び状の巻きシートの上縁部に、荷物の各角部に係止する角部係止具及び角部掛け具を設けるようにしたので、長尺な荷崩れ防止シートを一人でもって荷物の周囲に容易に巻き付けることができる。
また、請求項２に係る発明は、巻きシートの一部を透視部材により形成したので、荷物の種類等を容易に確認することができる。
また、請求項３に係る発明は、巻きシートの両端部を板状の芯材により補強したので、荷物の周囲を包囲した巻きシートの締付けが円滑に行えるとともに、巻きシートの荷物への巻付け、巻取りが容易にできる。
また、請求項４に係る発明は、角部係止具を非伸縮性のシート材により形成したので、荷物に巻き付ける際に、巻きシートの基端部を荷物に強固に係止することができる。
また、請求項５に係る発明は、角部掛け具を伸縮可能な弾性資材により形成したので、角部の間隔の異なる荷物に対しても容易に掛けることができる。
また、請求項６に係る発明は、連結具の緊張ベルトに互いに係脱可能に係止する面ファスナーを設けたので、止め具に係止した緊張ベルトの端部を該緊張ベルトの基部側に係合させることにより、緊張ベルトの緩みを防止することができるとともに、該緊張ベルトの端部の垂れを防止し、緊張ベルトの不用意な緩みを防止することができる。
また、請求項７に係る発明は、巻きシートの複数箇所にパレットと着脱可能に係止するパレット係止具を設けたので、巻きシートが上方にずれたり、下部が捲くれたりしなくなる。
また、請求項８に係る発明は、巻きシートの所定の側面の両側に係止した係止ベルトの長手方向中間部を、掛け具によりパレットの端部中心部に係脱可能に係止するようにしたので、巻きシートを周方向に緊張しながらパレットに係止することになり、上記巻きシートがパレットに強固に連結され、上方向にずれたり、下部が捲くれたりしなくなるとともに、荷物がパレット上で移動するのを防止することができる。
【図面の簡単な説明】
【図１】本発明の第１実施例の使用状態を示す斜視図である。
【図２】第１実施例による荷崩れ防止シートの斜視図である。
【図３】本発明の第２実施例の使用状態を示す斜視図である。
【図４】第２実施例のパレット係止具部の拡大斜視図である。
【図５】第２実施例による荷崩れ防止シートの斜視図である。
【図６】第２実施例の連結具部の拡大断面図である。
【図７】本発明の第３実施例の使用状態を示す斜視図である。
【図８】第３実施例による荷崩れ防止シートの斜視図である。
【図９】第３実施例のパレット用掛け具部の一部断面拡大斜視図である。
【図１０】第３実施例のパレット用掛け具部の他の例を示す拡大斜視図である。
【符号の説明】
１    パレット
１ａ  上板
１ｂ  脚
２    荷物
３    荷崩れ防止シート
４    巻きシート
４ａ  右部シート
４ｂ  左部シート
５    角部係止具
６（６ａ，６ｂ，６ｃ）    角部係止具
７    連結具
７ａ  緊張ベルト
７ｂ  止めベルト
７ｃ  止め具
７ｄ  面ファスナー
８    トップカバー
８ａ  天板部
８ｂ  スカート部
１０    パレット
１０ａ  上板
１０ｂ  下板
１０ｃ  脚
１１    荷物
１３    荷崩れ防止シート
１４    巻きシート
１４ａ  左端部
１４ｂ  右端部
１４ｃ  左右中間部
１４ｃ−１    左側面
１４ｃ−２    右側面
１５    角部係止具
１６（１６ａ，１６ｂ，１６ｃ）    角部掛け具
１７（１７−１〜１７−３）        連結具
１８    緊張ベルト
１８ａ  面ファスナー
１８ｂ  先端部
１９    止めベルト
１９ａ  リング部
２０    止め具
２０ａ  第１枠体
２０ａ−１    基部桟
２０ａ−２    中間桟
２０ａ−３    前部桟
２０ｂ  第２枠体
２０ｂ−１  基部桟
２０ｂ−２  前部桟
２１    パレット係止具
２１ａ  当て布
２１ｂ  係止ベルト
２１ｃ  面ファスナー
２２    摩擦シート
２４    芯材
２５    パレット係止具
２５ａ  係止ベルト
２５ｂ  連結ベルト
２５ｃ  止め具
２６    パレット係止用の掛け具
２６ａ  鉤辺
２６ｂ、２６ｃ，２６ｄ  横桟
２６ｅ，２６ｅ        先端部
（ア）、（イ）、（ウ）    角部対応上縁部
【図１】
0004672155.tif 000002
【図２】
0004672155.tif 000003
【図３】
0004672155.tif 000004
【図４】
0004672155.tif 000005
【図５】
0004672155.tif 000006
【図６】
0004672155.tif 000007
【図７】
0004672155.tif 000008
【図８】
0004672155.tif 000009
【図９】
0004672155.tif 000010
【図１０】
0004672155.tif 000011